(57)【要約】      （修正有）【課題】複数枚のポリ袋を厚紙製包装箱から同時に摘み（引き）出すことのないようなポリ袋収納体を提供する。【解決手段】周側面に開口要のミシン目を設けた樹脂製内袋１に、多数の、互いに視覚的に識別できる２種のポリ袋８，８´を交互に上下に重ね合せて折り畳んで収納して密封体１Ａを構成する。密封体１Ａを収納した厚紙製包装箱２の、ミシン目が臨む直上位置に、ポリ袋取出口形成用のミシン目で囲んだ区画部を設ける。【選択図】図１
0003139770.tif 000002
【実用新案登録請求の範囲】
【請求項１】
交互に重ね合わせて積層状にした、互いに識別して視認できる２種の多数のポリ袋と、該ポリ袋を収納し、周面に前記ポリ袋を摘み出す取出口を設けた厚紙製収納箱とで成る、ポリ袋収納体。
【考案の詳細な説明】
【技術分野】
【０００１】
本考案は、野菜その他の生鮮食品の保存やお菓子等の小分け等々種々の利用目的のあるポリ袋収納体に関するものである。
【背景技術】
【０００２】
周側面に開口用のミシン目を設けた樹脂製内袋に、多数のポリ袋を上下に重ね合せて折り畳んで収納して密封体を構成し、該密封体を収納した厚紙製包装箱の、前記ミシン目が臨む直上位置に、ポリ袋取出口形成用のミシン目で囲んだ区画部を設けた構成のものがある（例えば、特許文献）。
【０００３】
【特許文献１】特開２００６−２９８４１６号公報
【考案の開示】
【考案が解決しようとする課題】
【０００４】
前記構造のポリ袋収納体は、店頭における展示や家庭内における使用に際して、構成上ティッシュペーパの収納箱と同様の取扱いができる便利さがあるが、厚紙製包装箱からの取出しの際、触感を働かせて１枚（袋）当て取り出すのが原則ではあるが、往々にして複数枚を誤って取り出される場合があり、余分に取り出されたものはそのまま無駄に廃棄され勝ちとなる。これを防ぐために、前記の触感の他に視覚を働かせても、ポリ袋は一般に互いに同じ態様の無色透明で成るので、視認（覚）しにくい、という欠点がある。
【０００５】
本考案は、斯様な従来例の欠点に着目し、同時に複数枚のポリ袋を厚紙製包装箱から引き出すことのないようなポリ袋収納体を提供することを目的として案出したものである。
【課題を解決するための手段】
【０００６】
交互に重ね合わせて積層状にした、互いに識別して視認できる２種の多数のポリ袋と、該ポリ袋を収納し、周面に前記ポリ袋を摘み出す取出口を設けた厚紙製収納箱とで成る構成としたものである。
【考案の効果】
【０００７】
本考案によれば、積層状態にあるポリ袋中から取出口を通じて複数枚が摘み出されたとき、該複数枚は積層状態中から積み出されるものであるから互いにずれた状態で取出口から積み出され、従って、隣接（上下に）するもの同士が互いに識別できる関係にあることと前記ずれた状態により複数枚あるものと容易に視認でき、摘み出しの中断をすることによって無駄な枚数を摘み（引き）出すことのないポリ袋収納体を提供できる。
【実施例】
【０００８】
図面は、本考案に係るポリ袋収納体の一実施例を示し、図１はポリ袋を摘み出した状態を示す斜視図、図２は略示断面図、図３は図２の一部拡大図、図４は密封体と包装箱の関係を示す分解斜視図である。
【０００９】
図中、１は樹脂製内袋で、樹脂製内袋１は相対する周側面に形成した開口用のミシン目ａを備え、上下方向に重ね合せて折り畳んだ多数のポリ袋８，…、８´，…を収容して密封体１Ａを構成するものである。
【００１０】
密封体１Ａは、ポリエチレンシート体で成る筒状体に、該筒状体を扁平にしてその長手方向（開口端間）に沿う中央部に前記開口用のミシン目（ミシン目に沿って分断して内袋１を開口するためのミシン目）ａを設ける一方、互いに識別して視認できる、２種の多数のポリ袋８，…、８´，…を交互に重ね合わせ、重ね合わせた状態で３層状に折り畳み、該積層状のポリ袋８，８´を前記ミシン目ａを設けた前記筒状体内に嵌装して筒状体の両端をヒートシールして構成したものである。この結果、ミシン目ａはポリ袋８，８´を介して相対する内袋１の周側面（上下の両側面）に位置し、内袋１をミシン目ａに沿って分断して開口するとき、ヒートシール部６によってその分断は規制され、該内袋１によるポリ袋８，８´の保持は保たれる。
【００１１】
互いに識別して視認できる２種のポリ袋８，８´は、同形、同大で成るものであることは勿論であるが、互いに識別して視認できる手段としては、該ポリ袋８，８´に施した図形、模様、色彩或いはこれらの組合わせ等々を挙げることができ、実施例の、一方のポリ袋８と他方のポリ袋８´は、前者を水玉模様、後者を三角形模様として互いに識別して視認できるようにしているが、該模様の「図」である水玉形ｍと三角形ｍ´に赤と黒のように異なった色を施したり、「地」側を同様に色変えすることも考えられる。
【００１２】
そして、密封体１Ａは、該密封体１Ａを構成する樹脂製内袋１に設けた前記ミシン目ａが上面に位置するように厚紙製包装箱２内に収容し、該厚紙製包装箱２の上壁構成片３には前記ミシン目ａが臨む直上位置にしてポリ袋取出口４形成用のミシン目ａ´で囲んだ区画部５を設けてある。
【００１３】
厚紙製包装箱２は、厚紙を常法によって片抜きしたシート体を折り目に沿って折曲して必要個所を糊付けして角筒体を得、該角筒体に前記密封体１Ａを嵌装して両端開口部を閉塞して糊付けして密封して構成したものである。すなわち、前記角筒体２Ａの開口端の四側に突設した上、下部片２ａ，２ｂと左右の側部片２ｃ，２ｃの内、左右の側部片２ｃ，２ｃを折り返し、次いで、下部片２ｂを折り返して折り曲げ済の前記側部片２ｃの外側に重ね合わせた後、上部片２ａを折り返して糊を塗布した前記下部片２ｂに重ね合わせると同時に、上部片２ａの自由端に設けた舌状部片２ａ´を、前記下部片２ｂの基端中央に設けたスリット７に挟挿することにより、密封体１Ａは包装箱２内に収納密封されるのである。
【００１４】
前記の区画部５は、前記ミシン目ａ´で取り囲んで構成し、ミシン目ａ´に沿って該区画部５を上壁構成片３から分離することにより当該分離した部分に前記ポリ袋取出口４が形成されるようにしてあるが、ミシン目ａ´を部分的に残して該残した部分をヒンジ部として区画部５部分を蓋片として構成するようにしても良く、斯様な意味合いで区画部５はミシン目で部分的に囲んで構成するものであっても良く、要は、前記取出口５が形成されるようにミシン目が形成してあれば良い。
【００１５】
ミシン目ａ´に沿って前記上壁構成片３を部分的に分断して得られる前記取出口４は長孔状を成し、その長手方向は前記樹脂製内袋１に設けたほぼ直線上に連続するミシン目ａに沿わせて位置させてある。
【００１６】
そして、包装箱２内に密封体１Ａを収納した状態で店頭に陳列され、使用時には、ミシン目ａ´に沿って上壁構成片３（包装箱２）を分断して取出口４を形成し、該取出口４に臨んだ直下に位置するミシン目ａを適量分断することによって内袋１内は外界と連通し、取出口４とミシン目ａを切断して得た内袋１の開口部を通じて内袋１内のポリ袋８又は８´を１枚宛順次取り出すようにして用いるのである。
【図面の簡単な説明】
【００１７】
【図１】ポリ袋を摘み出した状態を示す斜視図。
【図２】略示断面図。
【図３】図２の一部拡大図。
【図４】密封体と包装箱の関係を示す分解斜視図
【符号の説明】
【００１８】
２          厚紙製包装箱
４          取出口
８，８´    ポリ袋
【図１】
0003139770.tif 000003
【図２】
0003139770.tif 000004
【図３】
0003139770.tif 000005
【図４】
0003139770.tif 000006